(57)【要約】本発明は照明装置（１００）を制御する方法に関し、照明装置は光束検知ユニット（１０１）と少なくとも２つの異なる色の光源（１０２，１０３，１０４）とを有し、この方法は、所定のパターンに従って光源の各々をオン及びオフに切り換えるステップと、所定のパターンに従って、所定の間隔で光束検知ユニットにより測定値を取得するステップと、測定値に基づいて、光源の各々について色点を計算するステップと、色点と対応する基準色点との間の差分を計算するステップと、光センサのアナログ電流駆動レベルを調整するステップであって、好ましい色が得られるように前記差分を最小化する、ステップとを有する。本発明は、駆動電流、温度及びエージングの影響における変化のための色の変化をより正確に補償する有効性を提供する。更に、本発明に従った制御方法は、光源の電流又は温度関連特性を得るためのバッチ特有のビニング情報又は工場における較正を必要とせず、そのことは、バッチ特有のビニング情報及び工場における較正に通常、関連するコストをかなり低減する。更に、本発明は、そのような方法を実行する手段を有する照明装置に関する。
2009519579.tif 000002
【特許請求の範囲】
【請求項１】
照明装置を制御する方法であって、前記照明装置は、光束検知ユニットと少なくとも２つの異なる色の光源とを有する、方法であって：
所定のパターンに従って前記光源の各々をオン及びオフに切り換えるステップ；
前記所定のパターンに従って、所定の間隔で前記光束検知ユニットにより測定値を取得するステップ；
前記測定値に基づいて、前記光源の各々について色点を計算するステップ；
前記色点と対応する基準色点との間の差分を計算するステップ；並びに
前記光センサのアナログ電流駆動レベルを調整するステップであって、好ましい色が得られるように前記差分を最小化する、ステップ；
を有する方法。
【請求項２】
請求項１に記載の方法であって、前記所定の切り換えパターンは順次の切り換えパターンである、方法。
【請求項３】
請求項１又は２に記載の方法であって、前記光束検知ユニットは、前記光源により出射される光の透過性を選択的に可能にするようにフィルタを調整する少なくとも１つの光束センサを有する、方法。
【請求項４】
請求項３に記載の方法であって、前記少なくとも１つの光束センサはファブリペロー干渉フィルタをコーティングされている、方法。
【請求項５】
請求項１又は２に記載の方法であって、前記光束検知ユニットは、前記異なる色の光源の各々について１つのフィルタリング光束センサを有する、方法。
【請求項６】
請求項１乃至５の何れか一項に記載の方法であって：
前記差分を所定の閾値レベルと比較するステップ；及び
前記差分が前記閾値以下になるまで、請求項１に記載のステップを繰り返すステップ；
を有する、方法。
【請求項７】
照明装置であって：
光束検知ユニット；
少なくとも２つの異なる色の光源；
所定のパターンに従って前記光源の各々をオン及びオフに切り換える手段；
前記所定のパターンに従って、所定の間隔で前記光束検知ユニットにより測定値を取得する手段；
前記測定値に基づいて、前記光源の各々について色点を計算する手段；
前記色点と対応する基準色点との間の差分を計算する手段；並びに
前記光センサのアナログ電流駆動レベルを調整する手段であって、好ましい色が得られるように前記差分を最小化する、手段；
を有する照明装置。
【請求項８】
請求項７に記載の照明装置であって、前記照明装置は、前記好ましい色をユーザが選択することを可能にするユーザインタフェースを更に有する、照明装置。
【請求項９】
請求項７又は８に記載の照明装置であって、前記所定の切り換えパターンは順次の切り換えパターンである、照明装置。
【請求項１０】
請求項７乃至９の何れか一項に記載の照明装置であって、前記光束検知ユニットは、前記光源により出射される光の透過性を選択的に可能にするようにフィルタを調整する少なくとも１つの光束センサを有する、照明装置。
【請求項１１】
請求項１０に記載の照明装置であって、前記少なくとも１つの光束センサはファブリペロー干渉フィルタをコーティングされている、照明装置。
【請求項１２】
請求項７乃至１１の何れか一項に記載の照明装置を有するバックライトシステム。
【請求項１３】
請求項７乃至１１の何れか一項に記載の照明装置及びディスプレイを有する表示装置。
【発明の詳細な説明】
【技術分野】
【０００１】
本発明は、照明装置を制御する方法に関する。本発明はまた、その方法を実行する手段を有する照明装置に関する。
【背景技術】
【０００２】
近年、発光ダイオード（ＬＥＤ）の輝度の増加において非常な進展がみられる。その結果、ＬＥＤは、例えば、調節可能なカラーの直視型液晶ディスプレイ（ＬＣＤ）のような照明システム並びにフロント及びリアプロジェクションディスプレイにおける光源としての役割を果たすために、十分明るく且つ安価になってきている。
【０００３】
異なる色のＬＥＤを混合することにより、何れかの数のカラー、例えば、白色を生成することができる。調整可能なカラーの照明システムは、典型的には、複数の原色を用いることにより構成され、一例においては、赤色、緑色及び青色の三原色が用いられる。生成される光の色は、用いられるＬＥＤの色及び混合比率により決定される。
【０００４】
ＬＥＤの制御は、典型的には、パルス幅変調（ＰＷＭ）を有し、そのパルス幅変調は、輝度を、それにより、ＬＥＤの混合比を調整する。時間を制御することにより、ＬＥＤはオン及びオフに切り換えられ、十分速くそのように切り換えられることにより、ＬＥＤは、連続的にオンのまま維持されているように見える。しかしながら、パルス幅変調を用いてＬＥＤを制御することは、高価なＰＷＭドライバを必要とする。更に、ＰＷＭは、ドライバの実行において扱い難く、ドライバは、その場合、オーバーシュートがシステムにおける電流スパイクをもたらし、それにより、ＬＥＤの寿命を短くし、更に、カラー制御の精度に影響を与えるために、それ程オーバーシュートのないオン及びオフの切り換えについての要請に適合する必要がある。
【０００５】
米国特許第６，５０７，１５９号明細書においては、混色光を生成するように備えられたＲＧＢ（Ｒｅｄ，Ｇｒｅｅｎ，Ｂｌｕｅ）ベースの発光を制御するためにアナログの順方向電流を用いることにより、ＰＭＷに対する代替の解決方法について開示されている。ＬＥＤに供給される電流の振幅を調節することにより、ＬＥＤの輝度を制御することが可能である。明らかに、駆動スキームは、ＬＥＤが異なる電流密度において駆動されるときに、色の変化をもたらす。この問題については、混色光の色点を測定すること、及びその色点を好ましい色に調整することにより取り組まれている。しかしながら、混合色が測定されるとき、異なる色のＬＥＤの個々の色点を得るように複雑なデコンボリューション回路を必要とする。
【特許文献１】米国特許第６，５０７，１５９号明細書
【発明の開示】
【発明が解決しようとする課題】
【０００６】
本発明の目的は、照明装置を制御する改善された方法であって、その照明装置は、実質的に従来技術の短所を克服し、コスト及び製造の簡便さの点で更に改善することができる、方法を提供することである。
【課題を解決するための手段】
【０００７】
上記の目的は、請求項１に記載している照明装置を制御する方法と、請求項７に記載しているその方法を実行する手段を有する照明装置により達成される。従属請求項には、本発明に従った好適な実施形態について記載されている。
【０００８】
本発明の特徴に従って、照明装置を制御する方法であって、前記照明装置は光束検知ユニット及び少なくとも２つの異なる色の光源を有し、前記方法は、所定のパターンに従って前記光源の各々についてオン及びオフを切り換えるステップと、前記所定のパターンに従った所定の間隔で前記光束検知ユニットにより測定値を取得するステップと、前記測定値に基づいて前記光源の各々についての色点を計算するステップと、前記色点と対応する基準色点との間の差分を計算するステップと、前記光源のアナログ電流駆動レベルを調整するステップとを有し、前記差分は、好ましいカラーが得られるように最小化される、方法を提供する。
【０００９】
表現“所定のパターンに従ってオン及びオフに切り換えること”は、異なる色の光源についての個々の色点が計算されるように、測定値の簡単なデコンボリューションを実行することを可能にするような方法で、光源がオン及びオフを切り換えられることを意味するとして理解できる。
【００１０】
この本発明の特徴は、駆動電流、温度及びエージングの影響における変化のために、色変化について、より正確な方法で補正する実現性のために与えられる。光源は、ＰＷＭ制御ではなく、電流の振幅を改善することにより、アナログ電流駆動レベルを用いて制御されるために、その切り換えは、それ程厳しいものではなく、それ故、制御ドライバは複雑度が低く、その結果、安価な照明装置がもたらされる。本発明に従った方法は、好ましい照明装置の設定及び変更において一般に行われる測定サイクルにおいて主に、用いられる。しかしながら、勿論、照明装置の恒常的な使用において行われることが可能であるが、この場合、光源は測定サイクルにおいて短く、オン及びオフを切り換えられるために、好適には、測定サイクルは速い。更に、本発明に従った制御方法は、光源の工場における較正、又は光源の電流又は温度関連特性を得るためのバッチに特有のビニングの情報を必要とせず、そのことは、工場における較正及びバッチに特有のビニングの情報に通常関連するコストをかなり低減する。
【００１１】
好適には、所定の切り換えパターンは順次の切り換えパターンである。これは、１つの光源のみが、測定の取得の間にオンに切り換えられることを意味するものである。この場合、測定値を得るためにはデコンボリューションは必要ないため、それらの機能を実行する制御ユニットにおける必要性は、それ故、緩和されることが可能である。更に、ＬＥＤのような狭い帯域の光源でさえ、一般に、波長テールを有するために、他の色の光源からの干渉を伴わずに異なる色の光源の各々について個別の測定を得ることは、改善される測定結果を与えるものである。順次の切り換えパターンの一部として、全ての光源がオフに切り換えられることが可能であり、照明装置の外部からもたらされる環境光の測定を与えることが可能である。
【００１２】
本発明の好適な一実施形態においては、光束検知ユニットは、少なくとも１つのフォトダイオードのような、少なくとも１つの光束センサであって、前記光源により出射される光の透過性を選択的に可能にするように適合されたフィルタを有する、光束センサを有する。フィルタリング光束センサが用いられるときであって、そのフィルタが２つ以上の波長領域における光に対して透過性である場合、上記の測定を実行するのに必要なセンサの数を減少させることを可能にする。このことは、そのようなセンサは照明装置に備えられる光束検知ユニットの設置において高い自由度を与えるために、コスト及び製造の簡便さの点で改善を与える。例えば、一実施形態においては、照明装置は、赤色、緑色及び青色の発光ダイオード（ＬＥＤ）のような３つの狭い帯域の異なる色の光源を有する調整可能色可変照明装置であり、光束検知ユニットは、赤色光、緑色光及び青色光の透過を選択的に可能にするように適合された単独のフィルタリング光束センサを有する。更に、４つの異なる色の光源を有するシステムにおいては、“マルチピークフィルタ”をコーティングされた２つの光束センサは、光束センサにおいてコーティングされたフィルタの各々が４つの光源の２つにより出射される光に対して透過性である場合に、用いられることが可能である。更に、光束検知ユニットにおける非フィルタリング光束センサを有することが可能である。より高い測定精度を得るように少なくとも１つのフィルタリング光束センサと併せてこの非フィルタリング光束センサを用いることが可能である。
【００１３】
好適には、光束センサは、ファブリペローフィルタをコーティングされている。ファブリペローフィルタの透過性は、主に、誘電体層の厚さ及び入射光の角度に依存する。誘電体層の厚さが、誘電率と組み合わされて、注意深く選択されている場合、可視スペクトルにおける複数の透過ピークを有することが可能である。当業者は、上記と同じ結果を得るように、他の種類の干渉フィルタを用いることが可能であることが理解できるであろう。
【００１４】
本発明の代替の実施形態においては、光束検知ユニットは、前記異なる色の光源の各々について１つのフィルタリング光束センサを有する。一部の実施形態においては、これは好適な解決方法である。しかしながら、測定値を得るためには複雑なデコンボリューションは必要ないため、上記のように、それらの機能を実行する制御ユニットにおける必要条件は、それ故、緩和されることが可能である。例えば、照明装置が３つの異なる色の光源（赤色、緑色、青色）を有する一実施形態においては、光束検知ユニットは、“赤色光”を検出するための１つの光束センサ、“緑色光”を検出するための１つの光束センサ及び“緑色光”を検出するための１つの光束センサを有する。勿論、前記異なる色の光源の各々について２つ以上の光束センサを用いることも可能である。
【００１５】
他の好適な実施形態においては、色点と対応する基準色点との間の差分は、所定の閾値レベルに対して比較され、上記の方法のステップは、その差分が所定の閾値以下になるまで繰り返される。本発明は繰り返して実行されるため、例えば、ユーザにより選択される所望の色点において光源を標準化することが可能である。その差分が略０になるように、その差分を最小化することは有利であるが、勿論、繰り返しの数を所定の最大値に制限することが可能である。
【００１６】
本発明の他の特徴に従って、照明装置であって、光束検知ユニットと、少なくとも２つの異なる色の光源と、所定のパターンに従って前記光源の各々をオン及びオフに切り換える手段と、前記所定のパターンに従って所定の間隔で前記光束検知ユニットからの測定値を取得する手段と、前記測定値に基づいて前記光源の各々について色点を計算する手段と、前記色点と対応する基準色点との間の差分を計算する手段と、前記光源のアナログ電流駆動レベルを調整する手段とを有する、照明装置であり、所望の色が得られるように、前記差分は最小化される、照明装置を提供する。本発明のこの特徴により、本発明の第１特徴を参照して、上記と同様の及び類似する方法で、駆動電流、温度及びエージングの影響における変化による色の変化について、より正確な方法で補正することが可能である。
【００１７】
好適には、ユーザインタフェースが照明装置に接続される。このことは、新しい所望の色が出射されるように、照明装置により出射される光の色にユーザが調整することを可能にする。照明装置を調整するとき、補正色が出射されるように、新しい測定サイクルを好適に実行することができる。
【００１８】
本発明は、有利であることに、例えば、バックライトシステムにおいて構成要素として用いられることが可能であるが、これに限定されるものではない。更に、本発明に従った照明装置は、表示装置におけるディスプレイと共に用いられることが可能である。
【００１９】
本発明の更なる特徴及び有利点については、同時提出の特許請求の範囲及び下記の詳細説明により理解することができる。下で説明する実施形態以外の実施形態を得るように、本発明の種々の特徴を組み合わせることが可能であることを当業者は理解することができるであろう。
【００２０】
本発明の上記の及び他の特徴について、以下、添付図を参照しながら、現在、好適な本発明の実施形態について詳述する。
【発明を実施するための最良の形態】
【００２１】
図１は、本発明の現在の好適な実施形態に従って構成された調整可能なカラーの照明装置１００のブロック図である。この例示としての実施形態においては、照明装置１００は、赤色１０２、緑色１０３及び青色１０４の３つのＬＥＤ光源を有し、それらの各々は、対応するドライバ回路１０５、１０６及び１０７に接続されている。当業者に理解されるであろうように、勿論、４つ以上の異なる色の光源を用いることも可能である。更に、単独の光源又は一連の同じ色の光源を用いることが可能である。
【００２２】
照明装置１００が電力供給されるとき、照明制御回路１０８は、有線又は無線により照明制御回路１０８に接続されたユーザインタフェース１０９から、照明装置１００により出射される所望の色を取得する。ユーザインタフェース１０９は、照明制御回路１０８により読み取られる信号又は電圧を生成する、ボタン及び調整可能制御部のようなユーザ入力装置を有することが可能である。その電圧は、高ディジタル状態及び低ディジタル状態に対応するディジタル信号であることが可能である。その電圧がアナログ電圧の形式にある場合、アナログ−ディジタル（Ａ／Ｄ）変換器が、電圧を利用可能なディジタル形式に変換されるように用いられることが可能である。Ａ／Ｄ変換器からの出力は、その場合、ディジタル信号を照明制御回路１０８に供給される。照明制御回路１０８は、マイクロプロセッサ、マイクロコントローラ、プログラマブルディジタル信号プロセッサ又は他のプログラマブル装置を有することが可能である。照明制御回路１０８は、それに代えて、特定用途向け集積回路、プログラマブルゲートアレイ、プログラマブルアレイロジック、プログラマブルロジック装置又はディジタル信号プロセッサを有することがまた、可能である。照明制御回路１０８が、上記のマイクロプロセッサ又はマイクロコントローラのようなプログラマブル装置を有する場合、そのプロセッサは、プログラマブル装置の動作を制御するコンピュータ実行可能コードを更に有することが可能である。
【００２３】
照明制御回路１０８は、所望の色について、当該技術分野において知られている技術を用いて、色域及び対応する色点（即ち、白色点）を計算し、ＬＥＤ装置１０５乃至１０７の各々に対して計算された色点に対応する駆動信号を与え、それらのドライバは順次に、アナログ駆動電流をＬＥＤ１０２乃至１０４に供給する。同時に、３つのＬＥＤ全てからの光が光束検知ユニット１０１に入射するように備えられている光束検知ユニット１０１がアクティブにされる。
【００２４】
照明制御回路１０８は、例えば、更に詳細に下で説明する図２に示しているように、一連のパターンとして、所定のパターンに従って、ＬＥＤの各々のオン及びオフの切り換えを開始する。従って、光束検知ユニット１０１は、上記の所定のパターンに従って所定の間隔でＬＥＤにより出射される光を測定する。アナログ光束信号は、Ａ／Ｄ変換器（図示せず）を用いて、対応するディジタル信号に変換され、フィードバックのやり方で照明制御回路１０８に戻るように供給される。
【００２５】
ディジタルフィードバック信号は、ＬＥＤの各々について対応する色点に変換され、初期に計算された色点と比較される。その差分が所定の閾値より大きい場合、ＬＥＤドライバ１０５乃至１０７に供給される駆動信号はそれに応じて調整される。更に、その差分の最小化のために、例えば、ＰＩＤ（Ｐｒｏｐｏｒｔｉｏｎａｌ  Ｉｎｔｅｇｒａｌ−Ｄｅｒｉｖａｔｉｖｅ）制御器が用いられることが可能である。当業者に理解されるように、光束検知ユニットが受動構成要素である場合、その光束検知ユニットは常にアクティブにされることが可能であり、照明制御回路１０８は、上記のように、所定の時間間隔で、光束検知ユニットを“サンプリング”する。
【００２６】
照明装置１００は、測定された色点と好ましい色点との間の差分が閾値以下に最小化されるように、繰り返して方法のステップ（即ち、上記の切り換えステップ、取得ステップ、計算ステップ、比較ステップ及び調整ステップ）を更に実行するようになっている。駆動信号を調整するときに用いられる調整方法の種類に応じて、適切な数の繰り返し数を最大化することがまた、可能である。
【００２７】
本発明に従った方法は、環境温度及びエージングにおける変化を補償するように、適切な時間間隔で繰り返される。更に、ユーザインタフェース１０９が調整されるとき、その方法のステップはそれに応じて繰り返される。上記のような照明装置１００により実行される本発明に従った方法について、図２にまとめている。
【００２８】
例示としての実施形態においては、光束検知ユニット１０１は、ＬＥＤ１０２乃至１０４により出射される光の透過を選択的に可能にするように適合されたフィルタを有する少なくとも２つの光束センサＳ１及びＳ２を、少なくとも１つの非フィルタリング光束センサとを有する。第２のフィルタの応答は、第１のフィルタに対して僅かにシフトする。僅かにシフトしたフィルタにより少なくとも２つのフィルタリング光束センサＳ１及びＳ２からの結果を結合し、ＬＥＤ１０２乃至１０４の各々のピーク波長を計算することが可能である。ピーク波長が僅かにシフトされた第１及び第２のセンサＳ１及びＳ２についての予備知識により、このことは、第１のセンサと第２のセンサからの測定結果の比を計算して、この比をそれらのセンサのピーク波長と比較することにより達成される。この例示を、ＬＥＤ１０２乃至１０４の一について図４に示している。非フィルタリング光束センサが、環境照明を測定するように用いられる。
【００２９】
好適には、ファブリペロー干渉フィルタが用いられる。誘電層の厚さ及び入射光の角度に依存するファブリペロー干渉フィルタの透過性は、フィルタの垂直な面において得られ、次式のようになり、
ｋλ＝２ｎｄｃｏｓΘ                              （１）
ここで、ｋは共振の次数を表す整数であり、λは透過光のピーク波長であり、ｎは誘電体層の屈折率であり、ｄは誘電体層の厚さであり、そしてΘは入射光ビームとファブリペローエタロンの垂直な面との間の角度である。誘電体層の厚さが十分に厚く選択されている場合、ｋ＝１についての可視スペクトル（３８０乃至７８０ｎｍ）において１つの透過ピークが存在する。しかしながら、誘電体層の厚さ（屈折率と組み合わせて）がより厚く選択される場合、図３に示しているように、可視スペクトルにおいて複数の透過ピークを有することが可能である。このことは、光束検知センサユニット１０１の光束センサがそのようなフィルタをコーティングされている場合に、赤色領域（図３において略７００ｎｍ）、緑色領域（図３において略５５０ｎｍ）及び青色領域（図３において略４００及び４６０ｎｍ）におけるフィルタとしての役割を果たすことができることを意味する。
【００３０】
所定の切り換えパターンに従って、ＬＥＤ１０２乃至１０４がオン及びオフに切り換えられる本発明に従った方法と関連付けて、上で説明している光束検知ユニット１０１を用いることにより、センサの数を、それにより、センサチャネルの数を減少させることが可能である。代替として、光束センサの各々のフィルタが異なる色のＬＥＤの各々により出射される光に対して透過性であるように調整されている場合、複数の標準的なフィルタリング光束センサを組み合わせることが可能である。例えば、例示としての実施形態におけるように、照明装置１００が３つの異なる色の光源（赤色ＬＥＤ１０２、緑色ＬＥＤ１０３、青色ＬＥＤ１０４）を有する場合、光束検知ユニット１０１は、“赤色光”を検出するための１つの光束センサと、“緑色光”を検出するための１つの光束センサと、“青色光”を検出するための１つの光束センサと、を有する。
【００３１】
ここで、図５を参照するに、所定の切り換えパターンの実施例を示している。図５に示す切り換えパターンは順次の切り換えパターンであり、最初に、ｔ１において、ＬＥＤ１０２乃至１０４の全てはオフに切り換えられる。ｔ１とｔ２との間のあるとき、照明制御回路１０８は、光束検知ユニット１０１をサンプリングし、それにより、環境照明に関連する光束情報を得ることができる。この環境光束情報は、必要に応じて、環境照明についての成功裏の測定を調整するように用いられることが可能である。当業者が理解できるように、より高い精度を達成するように、測定の各々について複数のサンプリングを可能にすることができる。ｔ２において、赤色ＬＥＤ１０２はオンに切り換えられ、照明制御回路１０８は光束検知ユニット１０１をサンプリングする。続いて、ｔ３において、赤色ＬＥＤ１０２はオフに切り換えられ、緑色ＬＥＤ１０２はオンに切り換えられる。照明制御回路１０８は、緑色ＬＥＤ１０３についての測定を行うように、もう一度、光束検知ユニット１０１をサンプリングする。同じ測定ステップが、青色ＬＥＤ１０４について繰り返される。その後、図１を参照して上で説明しているように、照明制御回路１０８は、ＬＥＤの各々について色点を計算し、それらの色点を好ましい色点と比較し、そして好ましい色を得るように、それらのＬＥＤの各々に対してアナログ駆動信号を調整する。
【００３２】
所定の切り換えパターンの何れかの他のタイプを用いることが可能であることが理解できる。例えば、ＬＥＤ１０１乃至１０４の全てをオフに切り換えることに代えて、それらのＬＥＤの１つのみが一時にオフに切り換えられる場合、図５に示す切り換えパターンと比べて、所定の切り換えパターンの反転されたタイプを用いることが可能である。連立方程式により、その場合、異なる色のＬＥＤの各々についての個々の色点を計算することが可能である。しかしながら、これは、より複雑な信号処理を実行するように適合された照明制御回路１０８をまた必要とする、より複雑なデコンボリューション処理を必要とする。このことはコストに関連しては好ましくはないが、どのタイプの所定の切り換えパターンが用いられるべきかを、デザイン及び実行方法が決定することを可能にする。
【００３３】
当業者は、本発明がもはや、上記の工程な実施形態に限定されるものではないことを理解することができる。また、同時提出の特許請求の範囲における範囲内で、多様な修正及び変形が可能である。例えば、環境温度の変化に関連する光束センサのスペクトル応答における変化を補償するように、温度センサを用いることが可能である。更に、本発明は、有利であることに、ＯＬＥＤ、ＰＬＥＤ、有機ＬＥＤ、レーザ、ＣＣＦＬ、ＨＣＦＬ、プラズマランプ又はそれらの組み合わせを用いることが可能である。
【図面の簡単な説明】
【００３４】
【図１】本発明の現在の好適な実施形態に従った照明装置を示すブロック図である。
【図２】本発明の現在の好適な実施形態に従った方法のステップを示すフローチャートである。
【図３】可視スペクトルにおいて複数の透過ピークを有するフィルタリング光束センサのスペクトル応答を示すグラフである。
【図４】２つのフィルタリング光束センサを用いるＬＥＤの一のピーク値の測定を示す図である。
【図５】照明装置が３つの光源を有する場合の測定サイクルを示す図である。
【図１】
2009519579.tif 000003
【図２】
2009519579.tif 000004
【図３】
2009519579.tif 000005
【図４】
2009519579.tif 000006
【図５】
2009519579.tif 000007
【国際調査報告】
2009519579.tif 000008
2009519579.tif 000009
2009519579.tif 000010